(57)【特許請求の範囲】
【請求項１】
携帯型機器外筐本体の画像表示部とは反対側となる底面側から左右縁部に弾性的に挟着するように回り込む略Ｕ型状の芯材をインサート成型してなる軟質ゴム製であって、左右縁部には手指に馴染んで滑り止めとなる凹凸状のチャンネル部が形成されてなる着脱自在な仮着部を有し、該仮着部左右縁部の四隅に立設したコイルスプリングに拡大レンズ要素の四隅部を連結する一方、これら拡大レンズ要素と仮着部左右縁部との間には、上下端および上下間中央部の夫々に軟質の薄肉部からなるヒンジ部を形成してなる硬質合成樹脂製のく字型リンクが、左右一対ずつ向かい合わせの対称配置となるようにして連結されると共に、当該仮着部の左右何れか一方の縁部には、内蔵されたスプリングによって側方外側に向けて弾性的に突出状とされ、拡大レンズ要素の対応する縁部に設けられた係合片の係合孔に係脱可能な係合爪を有する仮止め解除ボタンを付設してなるものとしたことを特徴とする携帯型機器画像表示部用拡大鏡。
【請求項２】
携帯型機器外筐本体の画像表示部とは反対側となる底面側から左右縁部に弾性的に挟着するように回り込む略Ｕ型状の芯材をインサート成型してなる軟質ゴム製であって、左右縁部には手指に馴染んで滑り止めとなる凹凸状のチャンネル部が形成されてなる着脱自在な仮着部を有し、該仮着部左右縁部の四隅に立設したコイルスプリングに拡大レンズ要素の四隅部を連結する一方、これら拡大レンズ要素と仮着部左右縁部との間には、上下端および上下間中央部の夫々に軟質の薄肉部からなるヒンジ部を形成してなる硬質合成樹脂製のく字型リンクが、左右一対ずつ向かい合わせの対称配置となるようにして連結されると共に、当該仮着部の左右何れか一方の縁部には、内蔵されたスプリングによって側方外側に向けて弾性的に突出状とされ、拡大レンズ要素の対応する縁部に設けられた係合片の係合孔に係脱可能な係合爪を有する仮止め解除ボタンを付設してなるものとし、各く字型リンクを折り畳んで閉鎖状に収納した拡大レンズ要素を、仮止め解除ボタンの押し込み操作で仮止め状態を解除して所定位置まで自動的に上昇させ、その状態を左右一対のく字型リンクで維持するようにしてなるものとしたことを特徴とする携帯型機器画像表示部用拡大鏡。
【請求項３】
拡大レンズ要素は、その平面形状が携帯型機器画像表示部よりも大きな画角を形成可能な寸法に設定され、画像表示部に対峠する裏面を平板状、表面側が凸状とするシリンドリカルレンズから形成されてなるものとした、請求項1および２何れか一記載の携帯型機器画像表示部用拡大鏡。
【請求項４】
拡大レンズ要素は、画像表示部から２〜７ｃｍ程度上昇させた位置において、１．５〜３倍程度の画像を画像表示部から２〜１０ｃｍ後退した位置に結像する９〜２０ジオプトリーのレンズからなるものとした、請求項１ないし３何れか一記載の携帯型機器表示部用拡大鏡。
【請求項５】
拡大レンズ要素は、画像表示部から３．５ｃｍ上昇させた位置において、２．１倍の画像を画像表示部から３．９ｃｍ後退した位置に結像する１５ジオプトリーのレンズからなるものとした、請求項１ないし４何れか一記載の携帯型機器表示部用拡大鏡。
【発明の詳細な説明】
【０００１】
【発明の目的】
この発明は、携帯電話、携帯ゲーム機、携帯端末機、デジタルカメラ、リモコン、携帯ＧＰＳ、携帯学習機、電子辞書、携帯翻訳機、電子ブック等の携帯型機器における表示部に関連するものであって、特に、携帯性を損ねることなく表示部の一部または全部を拡大視可能とする新規な構造からなる携帯型機器表示部用拡大鏡を提供しようとするものである。
【０００２】
【従来の技術】
我が国において近年広く普及し始めた携帯電話機は、年を追う毎に小型、軽量化が進み，益々日常的な携帯が容易になり、通常の通話機能の外にもインターネットへの接続や電子メール等の様々な機能が付加され、多様な使い方が可能となってその市場は大人から子供までと大幅に広がってきており、このような携帯型端末機器の普及に伴って同様の技術を活かした携帯ゲーム機、デジタルカメラ、リモコン、携帯ＧＰＳ、携帯学習機、電子辞書、携帯翻訳機、電子ブック等といった画像表示部を有する様々な携帯型機器が相次いで開発、販売されると共に、それら携帯機器類は、日々小型、軽量化が進む一方で画像表示部のカラー化、高画質化や大画面化へと技術革新が目覚ましく、多くの人々は、それらの選択に忙しいだけではなく、機器の使いこなしにもかなりの苦労を強いられているといった事態に陥っている。
【０００３】
携帯型機器、特にその中心をなす携帯型電話機は、その形態性に加え、受話器としても適した形状を確保しなければならず、そのため、機器本体の上部に画像表示部を、下部に操作部を夫々配置形成したものが主流となっている外、画像表示部の形状も上下に長く横幅が比較的狭い縦長状の設定となるものが多くなっていて、必ずしも両眼による視認に適したものとはなっておらず、表示される文字や画像も細かいため、一日中ディスプレーや小型表示部と向かい合うことの多い現代人にとって眼精疲労を引き起こす要因の一つと考えられている程であり、この携帯型電話機と同様に、他の携帯機器の場合であっても、画像表示部の大型化は、本体の小型、軽量化に反していることから、各種携帯型機器において、こうした矛盾するニーズを満足させることは極めて難しい課題となっている。
【０００４】
本体の小型化に付随せざるを得ない画像表示部からもたらされる不都合を解消するために、例えば特開２０００−１７４８６５号公報に開示された携帯電話本体を表面および裏面から挟持する一対の保持具によって凸レンズを手動自在に取着し、必要に応じて凸レンズを画像表示部上に移動させることができるようにした携帯電話の拡大表示具や、特開平１１−１３３２３４号公報に示された画像表示部上にレンズ的光学機能を有する透明型ホログラムを貼着可能に形成した表示窓用透明ホログラム等が開発、提案されているが、前者の場合、凸レンズは一対の保持具に沿って携帯電話本体の表面と裏面との間を回転状に移動されるものであり、その操作は片手で行うことが困難である上、角度調節具を設けたとしても、凸レンズを画像表示部に対して平行状に保持し、その位置で歪みの無い画像を得ることが難しいという問題があり、また、後者では、透明ホログラムを画像表示部上の所定高さ位置に保持する技術が開示されていないことから、透明ホログラムを画像表示部上に直接的に貼着するものと考えられるが、画像表示部に積層状に貼着した透明ホログラムでは、その拡大レンズ機故に自ずと限界があって、十分な目的達成が果たし得ないという欠点を避けることができないものであった。
【０００５】
この発明は、以上のように、携帯型機器自体が、本体の小型、軽量化を優先させなければならないために画像表示部の大型化には自ずと限界があって、必ずしも利用上で満足できるものになっているという訳にはいかず、特に視力が弱かつたり眼精疲労に悩むユーザーにとって極めて使い辛い機器となっていることについては誰しもが気が付いていながら、これまでのところ特にそのための有効な手段が講じられることもなく放置されたままとなってきているという事態に疑問を抱き、同じ不都合を痛感する利用者の一人としてこの課題を解決できないものかとの判断から、逸速くその開発、研究に着手し、長期に渡る試行錯誤と幾多の試作、実験とを繰り返してきた結果、今回、遂に新規な構造からなる携帯型機器表示部用拡大鏡を実現化することに成功したものであり、以下では、図面に示すこの発明を代表する実施例と共に、その構成を詳述することとする。
【０００６】
【発明の構成】
図面に示すこの発明を代表する実施例からも明確に理解されるように、この発明の携帯型機器表示部用拡大鏡は、基本的に次のような横成から成り立っている。
即ち、携帯型機器外筐本体の画像表示部とは反対側となる底面側から左右縁部に弾性的に挟着するように回り込む略Ｕ型状の芯材をインサート成型してなる軟質ゴム製であって、左右縁部には手指に馴染んで滑り止めとなる凹凸状のチャンネル部が形成された仮着部を有し、該仮着部左右縁部の四隅に立設したコイルスプリングに拡大レンズ要素の四隅部を連結する一方、これら拡大レンズ要素と仮着部左右縁部との間には、上下端および上下間中央部の夫々に軟質の薄肉部からなるヒンジ部を形成してなる硬質合成樹脂製のく字型リンクが、左右一対ずつ向かい合わせの対称配置となるようにして連結されると共に、当該仮着部の左右何れか一方の縁部には、内蔵されたスプリングによって側方外側に向けて弾性的に突出状とされ、拡大レンズ要素の対応する縁部に設けられた係合片の係合孔に係脱可能な係合爪を有する仮止め解除ボタンを付設してなるものとした構成を要旨とする携帯型機器画像表示部用拡大鏡である。
【０００７】
これを換言すれば、携帯型機器外筐本体の画像表示部とは反対側となる底面側から左右縁部に弾性的に挟着するように回り込む略Ｕ型状の芯材をインサート成型してなる軟質ゴム製であって、左右縁部には手指に馴染んで滑り止めとなる凹凸状のチャンネル部が形成された仮着部を有し、該仮着部左右縁部の四隅に立設したコイルスプリングに拡大レンズ要素の四隅部を連結する一方、これら拡大レンズ要素と仮着部左右縁部との間には、上下端および上下間中央部の夫々に軟質の薄肉部からなるヒンジ部を形成してなる硬質合成樹脂製のく字型リンクが、左右一対ずつ向かい合わせの対称配置となるようにして連結されると共に、当該仮着部の左右何れか一方の縁部には、内蔵されたスプリングによって側方外側に向けて弾性的に突出状とされ、拡大レンズ要素の対応する縁部に設けられた係合片の係合孔に係脱可能な係合爪を有する仮止め解除ボタンを付設してなるものとし、各く字型リンクを折り畳んで閉鎖状に収納した拡大レンズ要素を、仮止め解除ボタンの押し込み操作で仮止め状態を解除して所定位置まで自動的に上昇させ、その状態を左右一対のく字型リンクで維持するようにした携帯型機器画像表示部用拡大鏡であるということができる。
【０００８】
可変支持機構は、拡大レンズ要素を携帯型機器の画像表示部上所定位置と適宜格納位置との間を移動可能とすると共に、その移動範囲内の適所で仮固定状に支持可能とする機能を果たすものであり、携帯型機器外筐本体に対して一体に形成するか、あるいは脱着自在な構造としなければならず、可変支持機構自体か拡大レンズ要素を直接手で把持して昇降操作させることができるものとするか、あるいは何れかの箇所に設けた操作スイッチまたはそれに相当する部位を操作することによって自動的に上昇させ、また適所を抑え込むようにして格納位置まで移動させ仮固定状とする操作ができるものとすべきであり、例えば折り畳み可能なリンク機構によって形成したり、伸縮可能なテレスコープ型機構によって形成されたものとすることが可能である外、携帯型機器外筐本体の外側に添うよう折り畳み可能であって鉛直状に起立可能な案内レール付きアーム部と、拡大レンズ要素外周縁適所に連結された上、当該アーム部の案内レールに嵌合状となって進退移動自在且つ回動自在とした摺動連結部とからなるようなものに形成することができ、また、携帯型機器外筐本体の外側に添うよう折り畳み可能であって、鉛直状に起立可能な左右一対のレールを有して門型あるいは矩形枠状をなす支持枠部と、拡大レンズ要素外周縁左右の適所に連結された上、当該支持枠部のレールに嵌合状となって進退移動自在且つ回動自在とした左右一対の摺動連結部とからなるような、コイルスプリング等弾性材の圧縮力と復元力とを利用してなるものとすることができる。
【０００９】
仮着部は、可変支持機構の基部側を携帯型機器外筐体適所に脱着自在に取着する機能を果たすものであって、着脱可能なマジックファスナーの一対の中の一方を携帯型機器外筐体の所望する可変支持機構取着位置に貼着し、他方を可変支持機構基部に形成された取着用座面に貼着し、マジックファスナーを介して脱着自在に取着するようにした横造のものとすることができる外、可変支持機構の基部に携帯型機器外筐体を万力状に開閉可能な挟着フレームを設け、該挟着フレームを締め付け状に閉鎖して取着し、弛緩させて離脱するよう形成したものとすることが可能であり、また、弾性素材からなりその伸縮性を活かして携帯型機器外筐体に嵌合状に装着可能な筒形、袋型、あるいはコ字型の挟着フレームとすることができる。
【００１０】
拡大レンズ要素は、携帯型機器の画像表示部を含む外筐体表面側に当接、積層状に格納可能であって、該画像表示部の上方所定位置まで移動されることにより、画像表示部に表示された画像を所定倍率をもって拡大表示可能とする機能を果たすものであり、可変支持機構を介して携帯型機器の外筐体に対して一体的および／または脱着自在に取着されたものとしなければならず、より具体的には画像表示部から２〜７ｃｍ程度上昇させた位置において、凡そ１．５〜３倍程度の画像を画像表示部から凡そ２〜１０ｃｍ後退した位置に結像する９〜２０ジオプトリー前後のレンズからなるものとすることが望ましく、後述する表２の例に示してあるとおり、画像表示部から３．５ｃｍ上昇させた位置において、２．１倍の画像を画像表示部から３．９ｃｍ後退した位置に結像する１５ジオプトリーのレンズからなるものとするのが好ましいといえる。
以下では、図面に示すこの発明を代表する実施例と共に、その構造について詳述することとする。
【００１１】
【実施例１】
図１の携帯型機器表示部用拡大鏡の斜視図に示される事例は、携帯電話、携帯ゲーム機、携帯端末機、デジタルカメラ、リモコン、携帯ＧＰＳ、携帯学習機、電子辞書、携帯翻訳機、電子ブック等の携帯型機器に脱着自在に形成した基本的構成からなるこの発明に包含される携帯型機器表示部用拡大鏡の代表的な実施例を示すものである。
この携帯型機器表示部用拡大鏡は、携帯型機器５の外筐本体５１の画像表示部５２とは反対側となる底面側から左右縁部に弾性的に挟着する如く回り込む略Ｕ型状の芯材をインサート成型してなる軟質ゴム製であって、左右縁部には手指に馴染んで滑り止めとなる凹凸状のチャンネル部が形成された仮着部１を有し、該仮着部１左右縁部の四角には円柱状のスプリング穴が穿孔され、各スプリング穴の夫々にコイルスプリング２１，２１，‥‥‥の基端を埋設状に連結すると共に、該コイルスプリング２１，２１，‥…の先端側には平面矩形状に形成された拡大レンズ要素３の四隅部を連結した上、該拡大レンズ要素３と仮着部１左右縁部との間には、上下端および上下間中央部の夫々に軟質の薄肉部からなるヒンジ部を形成してなる硬質合成樹脂製の、く字型リンク２２，２２，‥‥が左右一対ずつ向かい合わせられた対称配置となるよう連結され、該仮着部１の左右何れか一方の縁部には、内蔵されたスプリング４１によって側方外側に向けて弾性的に突出状とされ、拡大レンズ要素３の対応する縁部に設けられた係合片３１の係合孔３２に係脱可能な係合爪４２を有する仮止め解除ボタン４を設けたものとなっている。
【００１２】
そして、該拡大レンズ要素３は、その平面形状が画像表示部５２よりも大きな画角を形成可能な寸法に設定されており、画像表示部５２に対峠する裏面を平板状とし、表面側が凸状となったシリンドリカルレンズからなり、図２の画像表示部ならびに拡大レンズ要素の位置関係を示す側面図に示すように、携帯型機器５画像表示部５２から３．５ｃｍ程度の距離ａ上昇させた位置において、凡そ２．１倍程度の拡大画像６を画像表示部５２から凡そ３．９ｃｍ後退した位置に結像する１５ジオプトリー前後のレンズであって、表面に乱反射や傷付き防止用のコーティングを施したものとなっている。
【００１３】
【作用】
以上のとおりの構成からなるこの発明の携帯型機器表示部用拡大鏡は、図１の斜視図に示してあるように、携帯型機器５外筐本体５１に対し軟質ゴムの弾性によって脱着自在な挟着状に装着された仮着部１が、その左右縁部に形成された凹凸状の係合形状によって手に保持した際の滑り止めの機能を発揮するものとなり、閉鎖状に収納された拡大レンズ要素３は、仮止め解除ボタン４を押し込み操作すると係合爪４２とが、係合片３１の係合孔３２から離脱しコイルスプリング２１，２１，‥‥の復原力によって所定位置まで自動的に上昇されると共に、左右のく字型リンク２２，２２，…‥が画像表示部５２に対する上下左右へのブレを阻止して画像表示部５２の中央部と拡大レンズ要素３の中央部とが略一致する状態で上昇、支持されるものとなり、コイルスプリング２１，２１，……とく字型リンク２２，２２，‥‥とが互いに減衰機能を発揮して画像のブレを阻止するものとなる。
【００１４】
拡大レンズ要素３は、携帯型機器５に一体化して携帯することが容易なレンズ厚に設定可能であると共に、後述する欠点を排除可能な１５ジオプトリー前後のレンズからなり、コイルスプリング２１，２１，‥‥の復原力によって、図２の側面図に示されているように、画像表示部５２から３．５ｃｍの距離ａ程度上昇させた位置に上昇、支持されるものとなっており、画像表示部５２に表示される画像より画角で２．１倍程度の画像を該画像表示部５２から凡そ３．９cm（拡大レンズ要素３から７．４ｃｍ程度の距離ｂ）後退した位置に結像するものとなり、図２の側面図、および下記の表１、表２に示す条件となっている。
【００１５】
【表１】
0003608781.tif 000002
【００１６】
【表２】
0003608781.tif 000003
【００１７】
１４ジオプトリー以下のレンズを使用して上記した拡大レンズ要素３と略同等の２倍程度の画像を得るには、下記の表３に示すとおり、引き上げ距離ａを３．８〜５ｃｍとかなり大きめに設定する必要があり、手で保持したままの操作性や視認性が悪化してしまう一方、ガラスや透明な合成樹脂から製造した１４ジオプトリーを越える屈折率の高いレンズは、折り畳み収納に支障を来すほど肉厚なものとなってしまい、携帯には不向きなものとる。
【００１８】
【表３】
0003608781.tif 000004
【００１９】
また、２．５倍以上の倍率を確保しようとすると、図２の側面図、および下記の表４に示すように、画像表示部５２からの拡大画像６の後退距離（ｙ＝ｂ−ａ）が５〜９ｃｍ程度と増大して、一般に普及している携帯型機器５の表示画面を、両眼によって視認することが困難なものとなってしまうという欠点を有するものとなる。
【００２０】
【表４】
0003608781.tif 000005
【００２１】
【効果】
以上のとおり、この発明の携帯型機器表示部用拡大鏡によれば、拡大レンズ要素を携帯型機器の画像表示部を含む外筐本体表面側に当接、積層状とするよう収納可能であり、携帯型機器の携帯性を損ねることなく装備することができると共に、この折り畳み収納状態であっても拡大レンズ要素を透して画像表示部を視認可能である上、可変支持機構の働きによって拡大レンズ要素を所望する高さ位置に移動させ、仮固定状とすることができるので、両眼視に適する広い視野角を確保できるものとなり、視力の弱い人や眼精疲労に悩まされる現代人の要求を満たし、快適な携帯型機器の利用を実現化することができるという秀れた特徴が得られるものである。
【００２２】
特に、実施例に説明した携帯型機器表示部用拡大鏡は、上記した特徴に加え、可変支持機構が携帯型機器に直接一体化された構造とすることができるので、仮止め機構等を設ける必要がなく、軽量且つ軽快な構造および外観を実現することが可能である一方、可変支持機構を携帯型機器に対して脱着可能な構造とすれば、新型機種が次々と発売され、買換えのサイクルが加速される状況にある現代においても新たに購入した携帯型機器への装着が可能となり、経済性に秀れるものとすることができる外、不要な場合には簡単に取り外すことができるという利便性の高いものとすることができ、しかも、図１側面図に示した可変支持機構２のように、仮止め解除ボタン４をワンタッチ操作することによって収納状態にある拡大レンズ要素３を瞬時に所望する高さ位置まで自動的に上昇させることができるものとすれば携帯機器に求められる片手による操作性を格段に向上させることができるという利点が得られる。
【００２３】
さらに、図２の斜視図に示したように、画像表示部５２から２〜７ｃｍ程度、望ましくは３．５ｃｍの距離ａ上昇させた位置に支持することにより、拡大画像６を画像表示部５２から凡そ２〜１０ｃｍ、望ましくは３．９ｃｍ後退させた位置に結合する９〜２０ジオプトリー前後、望ましくは１５ジオプトリーの拡大レンズ要素３を使用することにより、把持した携帯型機器の拡大画像が最も見易い位置に拡大レンズ要素３を支持することが可能であって、可変支持機構２も不要に大型化されることなく、拡大レンズ要素３自体のレンズ厚も携帯に支障をきたさない厚み寸法に設定可能とすることができるものとなる。
【００２４】
叙述の如く、この発明の携帯型機器表示部用拡大鏡は、その新規な構成によつて所期の目的を遍く達成可能とするものであり、しかも製造も容易で販売価格を比較的低廉に抑えることが可能である上、画像表示部の鉛直上方に拡大レンズ要素の平行姿勢を維持したまま所望する最適の高さに支持可能であって、画像の歪みも少なく、両眼視による操作に最適な条件を整えることが可能となり、しかも高価な光学機器を必要とせず、単一の拡大レンズ要素のみで目的を達成することができて経済的にも秀れ、多様な携帯型機器の殆どの画像表示部に応用可能なものとなることから、利用拡大を図るために、特に高齢者や視力の弱い人および眼精疲労に悩まされる多くの人々等への逸速い対応が求められている携帯型機器業界において高く評価され、広範に渡って利用、普及していくものになると予想される。
【図面の簡単な説明】
図面は、この発明の携帯型機器表示部用拡大鏡の技術的思想を具現化した幾つかの実施例を示すものである。
【図１】携帯型機器表示部用拡大鏡を示す斜視図である。
【図２】携帯型機器表示部用拡大鏡の光学系の配置を示す側面図である。
【符号の説明】
１          仮着部
２          可変支持機構
２１        同  コイルスプリング
２２        同  く字型リンク
３          拡大レンズ要素
３１        同  係合片
３２        同  係合孔
４          仮止め解除ボタン
４１        同  スプリング
４２        同  係合爪
５          携帯型機器
５１        同  外筐体
５２        同  画像表示部
６          拡大画像
【図１】
0003608781.tif 000006
【図２】
0003608781.tif 000007